(57)【要約】【課題】複雑な操作を要する携帯端末において、容易な情報入力の実現と、操作性の向上を実現する。【解決手段】携帯電話機１は、携帯端末の直線変位又は回転変位を検出する加速度センサ７０を備えており、加速度センサ７０により検出された検出データに基づいて、制御部１０は携帯電話機１の変位パターンを認識し、この認識された変位パターンに対応する一又は複数のコメントを、記憶部２０に記憶された属性テーブルＴ１とコメントテーブルＴ２を参照することによって表示部４０に表示させ、操作部５０によって選択されたコメントを電子メールの文章として入力させる。【選択図】図２
2009271613.tif 000002
【特許請求の範囲】
【請求項１】
自身の直線変位又は回転変位を検出する検出部を有する携帯端末の情報入力方法であって、
前記検出部にて検出された自身の直線変位又は回転変位の検出データを出力する検出データ出力ステップと、
この検出データ出力ステップにて出力された検出データに基づいて、前記直線変位又は回転変位の変位パターンを認識する認識ステップと、
この認識ステップにて認識された変位パターンに対応する入力候補情報を表示部に表示させる表示ステップと、
この表示ステップにて表示された入力候補情報に基づいて入力すべき情報を特定する特定ステップと
を含むことを特徴とする携帯端末の情報入力方法。
【請求項２】
自身の直線変位又は回転変位を検出する変位検出手段と、
この変位検出手段によって検出された自身の直線変位又は回転変位の検出データを出力する検出データ出力手段と、
この検出データ出力手段によって出力された検出データに基づいて、前記直線変位又は回転変位の変位パターンを認識する認識手段と、
この認識手段によって認識された変位パターンに対応する入力候補情報を表示する表示手段と、
この表示手段によって表示された入力候補情報に基づいて入力すべき情報を特定する特定手段と
を備えたことを特徴とする携帯端末。
【請求項３】
前記検出データと前記変位パターンとの対応関係を記憶する記憶手段を更に備え、
前記認識手段は、前記記憶手段の記憶内容に基づいて前記変位パターンの認識を行うことを特徴とする請求項２に記載の携帯端末。
【請求項４】
前記特定手段によって特定され入力された情報を特定のあて先に送信する送信手段を更に備え、
前記記憶手段は、前記変位パターン毎に前記あて先の属性に応じて入力候補情報を複数種記憶することを特徴とする請求項３に記載の携帯端末。
【請求項５】
通信回線を介して互いに接続される携帯端末とサーバとを含むネットワークシステムであって、
前記携帯端末は、
自身の直線変位又は回転変位を検出する変位検出手段と、
この変位検出手段によって検出された自身の直線変位又は回転変位の検出データを前記サーバへ送信する検出データ送信手段と
を備え、
前記サーバは、
前記検出データ送信手段によって送信された検出データを受信し、この検出データに基づいて、前記直線変位又は回転変位の変位パターンを認識する認識手段と、
この認識手段によって認識された変位パターンに対応する入力候補情報を前記携帯端末に送信する情報送信手段と
を備え、
前記携帯端末は更に、
前記情報送信手段によって送信された入力候補情報を受信し、表示する表示手段と、
この表示手段によって表示された入力候補情報に基づいて入力すべき情報を特定する特定手段と、
この特定手段によって特定され入力された情報を前記サーバに送信する入力情報送信手段と
を備えたことを特徴とするネットワークシステム。
【発明の詳細な説明】
【技術分野】
【０００１】
本発明は、情報入力方法、携帯端末、及びネットワークシステムに関する。
【背景技術】
【０００２】
近年の携帯電話機に代表される携帯端末は、持ち運びの利便性から携帯端末のサイズが小型化される傾向にある。携帯端末のサイズの小型化に伴い、ユーザが当該携帯端末に対して指示を入力するためのテンキー等の操作部が小型化されたり、操作部を構成するテンキー等の数が少なくなる傾向がある。
【０００３】
携帯端末へ指示を入力するための操作補助として、例えば、特許文献１においては、携帯端末等に対して与えられた振動等の加速度を検出することのできる加速度センサを利用して、電子メールの送信や発話処理のような、予め設定した機能の処理を行わせる技術が開示されている。
【特許文献１】特開２００３−１６３７４２号公報
【発明の開示】
【発明が解決しようとする課題】
【０００４】
しかしながら、上記の特許文献１に記載の技術の場合、携帯端末への動作入力のためにテンキー等の操作部から入力を行う必要は無くなるが、電子メールの送信等のような予め設定された機能の指示を行うことしかできない。
【０００５】
したがって、電子メールを作成する際に必要とされる文字入力等のような、複雑な操作のための入力補助を行うことができず、複雑な操作を要する場面における携帯端末の操作性の向上を図ることはできないという問題があった。
【０００６】
本発明は、上述したような課題に鑑みてなされたものであり、その目的とするところは、複雑な操作を要する携帯端末において、容易な情報入力の実現と、操作性の向上を目的とする。
【課題を解決するための手段】
【０００７】
上記課題を解決するため、請求項１に記載の発明は、自身の直線変位又は回転変位を検出する検出部を有する携帯端末の情報入力方法であって、前記検出部にて検出された自身の直線変位又は回転変位の検出データを出力する検出データ出力ステップと、この検出データ出力ステップにて出力された検出データに基づいて、前記直線変位又は回転変位の変位パターンを認識する認識ステップと、この認識ステップにて認識された変位パターンに対応する入力候補情報を表示部に表示させる表示ステップと、この表示ステップにて表示された入力候補情報に基づいて入力すべき情報を特定する特定ステップとを含むことを特徴とする。
【０００８】
また、上記課題を解決するため、請求項２に記載の発明は、自身の直線変位又は回転変位を検出する変位検出手段と、この変位検出手段によって検出された自身の直線変位又は回転変位の検出データを出力する検出データ出力手段と、この検出データ出力手段によって出力された検出データに基づいて、前記直線変位又は回転変位の変位パターンを認識する認識手段と、この認識手段によって認識された変位パターンに対応する入力候補情報を表示する表示手段と、この表示手段によって表示された入力候補情報に基づいて入力すべき情報を特定する特定手段とを備えたことを特徴とする。
【０００９】
また、請求項３に記載の発明は、上記請求項２に記載の発明において、前記検出データと前記変位パターンとの対応関係を記憶する記憶手段を更に備え、前記認識手段は、前記記憶手段の記憶内容に基づいて前記変位パターンの認識を行うことを特徴とする。
【００１０】
また、請求項４に記載の発明は、上記請求項３に記載の発明において、前記検出データと前記変位パターンとの対応関係を記憶する記憶手段を更に備え、前記認識手段は、前記記憶手段の記憶内容に基づいて前記変位パターンの認識を行うことを特徴とする。
【００１１】
また、上記課題を解決するため、請求項５に記載の発明は、通信回線を介して互いに接続される携帯端末とサーバとを含むネットワークシステムであって、前記携帯端末は、自身の直線変位又は回転変位を検出する変位検出手段と、この変位検出手段によって検出された自身の直線変位又は回転変位の検出データを前記サーバへ送信する検出データ送信手段とを備え、前記サーバは、前記検出データ送信手段によって送信された検出データを受信し、この検出データに基づいて、前記直線変位又は回転変位の変位パターンを認識する認識手段と、この認識手段によって認識された変位パターンに対応する入力候補情報を前記携帯端末に送信する情報送信手段とを備え、前記携帯端末は更に、前記情報送信手段によって送信された入力候補情報を受信し、表示する表示手段と、この表示手段によって表示された入力候補情報に基づいて入力すべき情報を特定する特定手段と、この特定手段によって特定され入力された情報を前記サーバに送信する入力情報送信手段とを備えたことを特徴とする。
【発明の効果】
【００１２】
本発明によれば、複雑な操作を要する携帯端末において、容易な情報入力の実現と、操作性の向上を実現することができる。
【発明を実施するための最良の形態】
【００１３】
〔実施形態１〕
まず、本発明の実施形態１における構成について説明する。
図１に、本発明を適用した携帯電話機１の構成例を示す。図１に示すように、携帯電話機１は制御部１０、記憶部２０、ＲＡＭ（Random Access Memory）３０、表示部４０、操作部５０、撮像部６０、加速度センサ７０、Ａ／Ｄ（Analog／Digital）変換部８０、通信部９０によって構成される。
【００１４】
制御部１０は、ＣＰＵ（Central Processing Unit）等により構成され、記憶部２０に記憶されているシステムプログラムや処理プログラム等の各種プログラムを読み出してＲＡＭ３０に展開し、展開されたプログラムに従って後述するアクション返信処理（図２参照）をはじめとする各種処理を実行する。
【００１５】
記憶部２０は、ＨＤＤ（Hard Disk Drive）や半導体の不揮発性メモリ等により構成される。記憶部２０には、前述のように各種プログラムが記憶されているほか、このプログラムの動作に必要な各種パラメータ等が記憶されている。また、携帯電話機１において通信部９０を介して送受信された電子メールや、後述するアクション返信処理の際に使用される属性テーブルＴ１やコメントテーブルＴ２等が記憶されている。アクション返信処理においては、属性テーブルＴ１とコメントテーブルＴ２は変換テーブルとしての役割を果たすことになる。
なお、上記記憶部２０以外のその他のコンピュータ読み取り可能な媒体として、ＳＤ（Secure Digital）カードやＵＳＢ（Universal Serial Bus）メモリのようなフラッシュメモリ等の不揮発性メモリ等の可搬型記録媒体を適用することが可能である。また、本発明に係るプログラムのデータ等の各種データを、搬送波（キャリアウェーブ）に重畳させて通信部９０を介して提供することも可能である。
【００１６】
ＲＡＭ３０は、制御部１０によって実行される各種プログラムや、これらプログラムによって処理されたデータ等を一時的に記憶するワークエリアとして機能する。
【００１７】
表示部４０は、ＬＣＤ（Liquid Crystal Display）等により構成され、制御部１０から入力される各種情報を表示する。
【００１８】
操作部５０は、テンキーや数字ボタン、各種機能ボタンからなるボタンを備えて構成され、押下されたボタンに対応する操作信号をＣＰＵ１０に出力する。なお、必要に応じてタッチパネル等のポインティングデバイスを含むこととしても良い。
【００１９】
撮像部６０は、レンズユニットやＣＣＤ（Charge Coupled Device）等から構成され、レンズユニットを介して入射された撮影画像をアナログ信号に光電変換する。
【００２０】
加速度センサ７０は、３軸加速度センサから構成され、３次元空間を構成する３軸の加速度を検出することができる。本実施例では、携帯電話機１を縦に振ったり、円を描くように回したりさせた時の、携帯電話機１の直線変位又は回転変位（検出データ）を検出する。この検出された携帯電話機１の直線変位又は回転変位によって、携帯電話機１の変位パターンを検出することができる。具体的には、例えば、携帯電話機１を円を描くように回した場合には、当該変位パターンにおける３軸の加速度が加速度センサ７０によって検出され、この検出された信号がＡ／Ｄ変換部８０を介して制御部１０に対して入力されることになる。制御部１０は、当該入力された信号によって、携帯電話機１が円を描くように回された等と認識する認識手段として機能する。
【００２１】
尚、加速度センサ７０に代えて、撮像部６０にて順次画像を撮影し、これら順次撮影された画像のずれから携帯電話機１の直線変位又は回転変位（検出データ）を検出するようにしてもよい。このようにすることで、加速度センサという特別なデバイスを備えることなく、製造コストの削減を実現させることができる。
【００２２】
Ａ／Ｄ変換部８０は、撮像部６０及び加速度センサ７０で得られたアナログ信号をデジタル信号に変換し、制御部１０に対して入力する。
【００２３】
通信部９０は、基地局等を介して通信相手の他の携帯電話機１等との通話のための音声データや電子メール等の各種データを送受信する。
【００２４】
次に、本発明の実施形態１における動作について説明する。
図２に、本実施の形態における携帯電話機１によって行われるアクション返信処理を示す。アクション返信処理は、通信部９０を介して電子メールを受信した際、又は記憶部２０に記憶された電子メールの一覧表示の指示が制御部１０に入力された際に、制御部１０と記憶部２０に記憶されたプログラムとの協働によるソフトウェア処理により実現される。
アクション返信処理では、加速度センサ７０によって検出された携帯電話機１の変位パターンに基づいて文字入力補助を行う。
【００２５】
図２に示すように、通信部９０を介して受信された電子メール、又は記憶部２０に記憶された電子メールの一覧が表示画面Ｇ１に表示され、当該電子メールの開封処理が行われたか否かが判断される（ステップＳ１０１）。
【００２６】
図４（ａ）に、ステップＳ１０１において表示部４０に表示される表示画面Ｇ１を示す。図４（ａ）に示すように、表示画面Ｇ１は機能ボタンＧ１ａ〜Ｇ１ｃ、電子メール一覧表示エリアＧ１ｄ等から構成される。
機能ボタンＧ１ａ〜Ｇ１ｃは、制御部１０に対して電子メールの返信処理の入力等を行う各種機能ボタンである。例えば、機能ボタンＧ１ｃを操作部５０より選択することにより、表示画面Ｇ１に重畳させてメニュー画面（図示せず）が表示され、当該メニュー画面を選択することによって、電子メールの返信処理等を行うことができる。
なお、後述する表示画面Ｇ２〜Ｇ８における機能ボタンは、表示画面Ｇ１における機能ボタンＧ１ａ〜Ｇ１ｃと同様であるので本説明を援用する。
電子メール一覧表示エリアＧ１ｄは、通信部９０を介して受信された電子メール、又は記憶部２０に記憶された電子メールの一覧が表示される領域である。
ステップＳ１０１においては、具体的には、表示画面Ｇ１の電子メール一覧表示エリアＧ１ｄに表示された電子メールを操作部５０より選択されたか否かが判断されることにより、電子メールの開封処理が行われたか否かが判断されることになる。
【００２７】
電子メールの開封処理が行われたと判断された場合（ステップＳ１０１；ＹＥＳ）、表示部４０に表示画面Ｇ２が表示され、操作部５０より開封処理が行われた電子メールに対して返信処理が入力されたか否かが判断される（ステップＳ１０２）。
【００２８】
図４（ｂ）に、ステップＳ１０２において表示部４０に表示される表示画面Ｇ２を示す。図４（ｂ）に示すように、表示画面Ｇ２は、機能ボタンＧ２ａ〜Ｇ２ｃ、テキストエリアＧ２ｄ等から構成される。
テキストエリアＧ２ｄは、ステップＳ１０１において開封処理が行われたと判断された電子メールの内容が表示される領域である。
ステップＳ１０２においては、表示画面Ｇ２が表示された状態で、操作部５０からの入力により当該電子メールの返信処理が入力されたか否かが判断されることになる。
【００２９】
開封処理が行われた電子メールに返信処理が入力されたと判断された場合（ステップＳ１０２；ＹＥＳ）、アクション返信モードがオンであるか否かが判断される（ステップＳ１０３）。アクション返信モードは、予めオン／オフが指定されており、このオン／オフに対応する値が記憶部２０に記憶されている。ステップＳ１０３においては、具体的には記憶部２０に記憶されている当該値が参照されることによって、アクション返信モードがオンであるか否かが判断されることになる。
【００３０】
アクション返信モードがオンであると判断された場合（ステップＳ１０３；ＹＥＳ）、記憶部２０に記憶された属性テーブルＴ１が参照され、表示画面Ｇ２に表示された電子メールの送信者の属性が判断される（ステップＳ１０４）。
【００３１】
図６に、本実施の形態における属性テーブルＴ１の一例を示す。図６に示すように、属性テーブルＴ１は、「属性」フィールド、「ドメイン」フィールドから構成される。
「属性」フィールドには、電子メールの送信者の属性が格納される。送信者の属性とは、送信者を分類するための情報であり、本実施の形態においては、送信者のメールアドレスに含まれるドメインによって送信者が「家族」、「ビジネス」のように分類されている。
「ドメイン」フィールドには、電子メールの送信者のメールアドレスに含まれるドメインが先述した分類ごとに格納される。
本実施の形態における属性テーブルＴ１では、返信処理が入力された電子メールの送信者、すなわちあて先のメールアドレスに含まれるドメインと属性が対応付けられている。つまり、図６に示す例では、返信処理が入力された電子メールの送信者のメールアドレスに含まれるドメインが、「kazoku.ne.jp」又は「zikka.com」であれば、当該送信者の属性は「家族」であり、「kaisya.co.jp」、「torihikisaki.co.jp」、又は「okyakusama.co.jp」であれば、当該送信者の属性は「ビジネス」である。
【００３２】
ステップＳ１０４においては、返信処理が入力された電子メールの送信者のメールアドレスからドメインが抽出され、属性テーブルＴ１の「ドメイン」フィールドに格納された値と比較されることになる。比較の結果、一致するドメインが属性テーブルＴ１に格納されていた場合、当該レコードに該当する「属性」フィールドの値が属性として判断される。本実施の形態においては、一致するドメインが属性テーブルＴ１に格納されていない場合には、ステップＳ１０４においては、当該送信者の属性は「知人」として判断される。
【００３３】
ステップＳ１０４において、表示画面Ｇ２に表示された電子メールの送信者の属性が「家族」であると判断された場合（ステップＳ１０４；家族）、記憶部２０に記憶されたコメントテーブルＴ２から「家族」用のコメントが読み出される（ステップＳ１０５）。
【００３４】
図７に、本実施の形態におけるコメントテーブルＴ２の一例を示す。図７に示すように、コメントテーブルＴ２は、「動作」フィールド、「家族」フィールド、「ビジネス」フィールド、及び「知人」フィールドから構成される。
「動作」フィールドには、加速度センサ７０によって検出された携帯電話機１の変位パターンに対応する値が格納される。具体的には、図７に示す例では、加速度センサ７０によって携帯電話機１がユーザの手により前に倒されたと検出された場合、「前に倒す」という値と対応することになる。同様に、携帯電話機１が丸く円を描くようにユーザの手により操作されたと検出された場合には「丸く円を描く」という値と対応し、携帯電話機１がユーザの手により横に振られた場合には「横に振る」という値と対応することになる。
「家族」フィールド、「ビジネス」フィールド、及び「知人」フィールドには、それぞれステップＳ１０４によって判断された送信者の属性に対応するコメント（入力候補情報）が格納されることになる。
【００３５】
ステップＳ１０５においては、具体的には、ステップＳ１０４において送信者の属性が「家族」であると判断されているので、コメントテーブルＴ２から「動作」フィールドと「家族」フィールドが読み出されることになる。
【００３６】
ステップＳ１０４において、表示画面Ｇ２に表示された電子メールの送信者の属性が「ビジネス」であると判断された場合（ステップＳ１０４；ビジネス）、記憶部２０に記憶されたコメントテーブルＴ２から「ビジネス」用のコメントが読み出される（ステップＳ１０６）。具体的には、ステップＳ１０４において送信者の属性が「ビジネス」であると判断されているので、コメントテーブルＴ２から「動作」フィールドと「ビジネス」フィールドが読み出されることになる。
【００３７】
ステップＳ１０４において、表示画面Ｇ２に表示された電子メールの送信者の属性が「知人」であると判断された場合（ステップＳ１０４；知人）、記憶部２０に記憶されたコメントテーブルＴ２から「知人」用のコメントが読み出される（ステップＳ１０７）。具体的には、ステップＳ１０４において送信者の属性が「知人」であると判断されているので、コメントテーブルＴ２から「動作」フィールドと「知人」フィールドが読み出されることになる。
【００３８】
次いで、表示部４０に表示画面Ｇ３が表示され、操作部５０から返信内容を編集する旨の指示が入力されると、表示部４０に表示画面Ｇ４が表示され、加速度センサ７０から携帯電話機１の変位パターンが検知されたか否かが判断される（ステップＳ１０８）。
【００３９】
図４（ｃ）に、ステップＳ１０８において表示部４０に表示される表示画面Ｇ３の一例を示す。
図４（ｃ）に示すように、表示画面Ｇ３は機能ボタンＧ３ａ〜Ｇ３ｃ、返信ウィンドウＧ３ｄ等から構成される。返信ウィンドウＧ３ｄが操作部５０より選択されると表示画面Ｇ４に画面遷移することになる。
【００４０】
図４（ｄ）に、ステップＳ１０８において表示部４０に表示される表示画面Ｇ４の一例を示す。
図４（ｄ）に示すように、表示画面Ｇ４は機能ボタンＧ４ａ〜Ｇ４ｃ、テキストエリアＧ４ｄ等から構成される。テキストエリアＧ４ｄは、電子メールの返信用の文章を編集するための領域である。
ステップＳ１０８においては、表示画面Ｇ４が表示され、加速度センサ７０から携帯電話機１の変位パターンの検知が入力されたか否かが待ち受けられることになる。
【００４１】
加速度センサ７０から携帯電話機１の変位パターンが検知されたと判断されない場合（ステップＳ１０８；ＮＯ）、処理はステップＳ１１７に移行する。
【００４２】
加速度センサ７０から携帯電話機１の変位パターンが検知されたと判断された場合（ステップＳ１０８；ＹＥＳ）、加速度センサ７０によって検知された当該変位パターンが解析される（ステップＳ１０９）。具体的には、加速度センサ７０が検知した携帯電話機１の変位パターンに対応する信号が、Ａ／Ｄ変換部８０を介して制御部１０に対して入力され、制御部１０によって記憶部２０に記憶された当該信号に対応する動作が参照されることにより、携帯電話機１の変位パターンが解析されることになる。
【００４３】
次いで、ステップＳ１０９によって解析された携帯電話機１の変位パターンが、ステップＳ１０５〜ステップＳ１０７で読み出されたコメントテーブルＴ２にあるか否かが判断される（ステップＳ１１０）。具体的には、ステップＳ１０５、ステップＳ１０６、又はステップＳ１０７において読み出されたコメントテーブルＴ２の「動作」フィールドが参照され、ステップＳ１０９によって解析された携帯電話機１の動作に対応する値が格納されているか否かによって判断される。
【００４４】
ステップＳ１０９によって解析された携帯電話機１の動作が、ステップＳ１０５〜ステップＳ１０７で読み出されたコメントテーブルＴ２にあると判断されない場合（ステップＳ１１０；ＮＯ）、表示部４０にエラーを通知する旨が表示され（ステップＳ１１１）、処理はステップＳ１０８に戻る。
ステップＳ１０９によって解析された携帯電話機１の動作が、ステップＳ１０５〜ステップＳ１０７で読み出されたコメントテーブルＴ２にあると判断された場合（ステップＳ１１０；ＹＥＳ）、表示部４０に表示画面Ｇ５が表示され、当該コメントテーブルＴ２に格納されているコメントの一覧が表示される（ステップＳ１１２）。
【００４５】
図４（ｅ）に、ステップＳ１１２において表示部４０に表示される表示画面Ｇ５の一例を示す。図４（ｅ）に示すように、表示画面Ｇ５は機能ボタンＧ５ａ〜Ｇ５ｃ、コメント一覧Ｇ５ｄ等から構成される。
コメント一覧Ｇ５ｄは、加速度センサ７０によって検知された動作に対応するコメントの一覧が表示される。
ステップＳ１１２においては、具体的には、ステップＳ１０５、ステップＳ１０６、又はステップＳ１０７において読み出されたコメントテーブルの「動作」フィールドに格納された値とステップＳ１０９によって解析された携帯電話機１の動作が比較され、当該値と一致するレコードのそれぞれ「家族」フィールド、「ビジネス」フィールド、又は「知人」フィールドの値が読み出され、表示部４０のコメント一覧Ｇ５ｄに表示されることになる。
【００４６】
以降の処理は、図３を参照して説明する。
表示画面Ｇ５に表示されたコメント一覧Ｇ５ｄのコメントが、操作部５０によって決定されたか否かが判断される（ステップＳ１１３）。具体的には、表示画面Ｇ５のコメント一覧Ｇ５ｄに表示されたコメント（図４（ｅ）に示す表示画面Ｇ５の例の場合、コメント一覧Ｇ５ｄに表示された「メールありがとう」、「ごめんね」、又は「ありがとう」の何れか１つをいう）を決定する旨の指示が操作部５０からの制御部１０に対して入力されたか否かによって判断されることになる。
【００４７】
表示画面Ｇ５に表示されたコメント一覧Ｇ５ｄのコメントが、操作部５０によって決定されたと判断されない場合（ステップＳ１１３；ＮＯ）、表示画面Ｇ５のコメント一覧Ｇ５ｄに表示された他のコメントが選択されたか否かが判断される（ステップＳ１１４）。
他のコメントが選択されたと判断されない場合（ステップＳ１１４；ＮＯ）、処理はステップＳ１０８に戻る。
【００４８】
表示画面Ｇ５のコメント一覧Ｇ５ｄに表示された他のコメントが選択されたと判断された場合（ステップＳ１１４；ＹＥＳ）、当該コメントが操作部５０からの入力により決定されたか否かが判断される（ステップＳ１１５）。当該コメントが操作部５０からの入力により決定されたと判断されない場合（ステップＳ１１５；ＮＯ）、処理はステップＳ１１４に戻る。
【００４９】
一方、ステップＳ１１３において、コメントが操作部５０からの入力により決定されたと判断された場合（ステップＳ１１３；ＹＥＳ）、及びステップＳ１１５において、コメントが操作部５０からの入力により決定されたと判断された場合（ステップＳ１１５；ＹＥＳ）、表示部４０に表示画面Ｇ６が表示され、当該決定されたコメントがテキストエリアＧ６ｄに表示される（ステップＳ１１６）。
【００５０】
図４（ｆ）に、ステップＳ１１６において表示部４０に表示される表示画面Ｇ６の一例を示す。図４（ｆ）に示すように、表示画面Ｇ６は機能ボタンＧ６ａ〜Ｇ６ｃ、テキストエリアＧ６ｄから構成される。テキストエリアＧ６ｄは、電子メールの返信用の文章を編集するための領域である。
ステップＳ１１６においては、具体的には、ステップＳ１１３又はステップＳ１１５において決定されたコメントが表示画面Ｇ６のテキストエリアＧ６ｄに表示されることになる。
【００５１】
次いで、操作部５０を構成するテンキー等から文字の入力指示がされたか否かが判断される（ステップＳ１１７）。操作部５０を構成するテンキー等から文字の入力指示がされたと判断された場合には（ステップＳ１１７；ＹＥＳ）、当該テンキー等による入力指示に従って文字が入力され、表示画面Ｇ６のテキストエリアＧ６ｄに表示される（ステップＳ１１８）。
操作部５０を構成するテンキー等から文字の入力指示がされたと判断されない場合には（ステップＳ１１７；ＮＯ）、電子メールの送信指示が操作部５０より入力されたか否かが判断される（ステップＳ１１９）。電子メールの送信指示が操作部５０より入力されたと判断されない場合（ステップＳ１１９；ＮＯ）、処理はステップＳ１０８に戻る。
【００５２】
図５（ａ）に、ステップＳ１１９における判断により、処理がステップＳ１０８に戻り、加速度センサ７０によって別の変位パターンが検出された場合に、ステップＳ１１２において表示部４０に表示される表示画面Ｇ７の一例を示す。表示画面Ｇ７の構成は、表示画面Ｇ５と同様であるので説明を省略する。
表示画面Ｇ７は、ステップＳ１０９において加速度センサ７０によって「丸く円を描く」動作が検知された場合を示す。表示画面Ｇ５と同様に、コメントテーブルの「動作」フィールドが「丸く円を描く」の値となっているレコードに対応するコメントが表示画面Ｇ７に表示されることになる。
【００５３】
図５（ｂ）に、ステップＳ１１９における判断により、処理がステップＳ１０８に戻り、加速度センサ７０によって別の変位パターンが検出された場合に、ステップＳ１１６において表示部４０に表示される表示画面Ｇ８の一例を示す。表示画面Ｇ８の構成は、表示画面Ｇ６と同様であるので説明を省略する。
表示画面Ｇ８は、表示画面Ｇ７のコメント一覧Ｇ７ｄにおいて表示されたコメントが選択及び決定され、テキストエリアＧ８ｄに表示されることになる。
【００５４】
電子メールの送信指示が操作部５０より入力されたと判断された場合（ステップＳ１１９；ＹＥＳ）、当該電子メールを通信部９０を介して送信するよう指示が行われ（ステップＳ１２０）、処理は終了する。
【００５５】
一方、電子メールの開封処理が行われたと判断されない場合（ステップＳ１０１；ＮＯ）、操作部５０より開封処理が行われた電子メールに対して返信処理が入力されたと判断されない場合（ステップＳ１０２；ＮＯ）、アクション返信モードがオンであると判断されない場合（ステップＳ１０３；ＮＯ）、処理は終了する。
【００５６】
以上のように、本実施の形態における携帯電話機１は、アクション返信処理によって、加速度センサ７０で検知された携帯電話機１の変位パターンに応じて、電子メール作成のための入力補助をすることができ、電子メール作成の際の複雑な入力操作に対する操作性が向上する。
【００５７】
また、アクション返信処理では携帯電話機１における変位パターンに応じて、電子メールの返信用のコメントを変えることができ、携帯電話機１の変位パターンと返信コメントとの対応関係が明確となる。つまり、携帯電話機１を丸く円を描くように動作させると肯定的な返信コメントが対応付けられ、首を振るような動作をさせると否定的な返信コメントが対応付けられる等のように、ユーザが返信用のコメントの内容を把握する事が容易となる。
【００５８】
また、本実施の形態におけるアクション返信処理では、属性テーブルＴ１、コメントテーブルＴ２を参照することによって電子メールの返信用のコメントの入力の操作補助が可能となり、電子メールを返信する相手に合わせた返信用のコメントの管理を容易に行うことができる。つまり、予めユーザが属性テーブルＴ１及びコメントテーブルＴ２の内容をカスタマイズしておくことにより、ユーザの好みに応じて電子メールの返信用のコメントの入力の操作補助を行うことができる。
【００５９】
なお、本実施の形態において属性テーブルＴ１は図６に示す例を構成として挙げ、携帯電話機１が受信した電子メールの送信者のメールアドレスに含まれるドメインによって、送信者の属性が判別されたが、他の要素によって送信者の属性が判別されてもよい。例えば、メールアドレスによって属性が判別されてもよいし、電子メールに添付された添付ファイルの種類によって送信者の属性が判別されてもよい。この場合、アクション返信処理のステップＳ１０４においては、メールアドレスや添付ファイル等の要素によって送信者の属性が判断されることになる。他にも、電子メールに絵文字（イラストによって表現された文字をいう）が含まれていれば、当該電子メールの送信者の属性は「友人」であると判別されたり、電子メールの文体や特定のＵＲＬ（Uniform Resource Locator）等のように予め定められたキーワード等から属性が判別されるようにしてもよい。
【００６０】
なお、本実施の形態においては、コメントテーブルＴ２は図７に示す構成を例として挙げたが、コメントテーブルＴ２の構成はこれに限られない。加速度センサ７０によって検出できる携帯電話機１の変位パターンは、図７に示すコメントテーブルＴ２の例に限られず、他の変位パターンに対応したコメントが用意されていてもよい。例えば、コメントテーブルＴ２の「動作」フィールドに、「バツを描く」等のように、加速度センサ７０が検出できる他の変位パターンに対応するコメントが格納されるようにしてもよい。
【００６１】
なお、本実施の形態においては、携帯電話機１の変位パターンを加速度センサ７０によって検出されるようにしたが、携帯電話機１の変位パターンの検出の方法はこれに限られない。例えば、撮像部６０によって撮像されている画像の動きによって携帯電話機１の動作が判別されるようにしてもよい。この場合、撮像部６０によって撮像される画像の動きと携帯電話機１の動作が対応付けられて記憶部２０に記憶され、この対応関係を参照することによって携帯電話機１の変位パターンを検出することになる。
【００６２】
なお、本実施の形態においては、アクション返信処理のステップＳ１１３において、コメント一覧Ｇ５ｄに表示されたコメントが決定される際に、操作部５０を構成するテンキー等から入力させるようにしたが、加速度センサ７０によって検出された携帯電話機１の変位パターンに基づいてコメント一覧Ｇ５ｄに表示されたコメントが決定されてもよい。例えば、表示部４０に表示画面Ｇ５が表示されている状態で、ステップＳ１０９において検出された携帯電話機１の変位パターンと同じ動作がされた場合に、当該コメントが決定されるようにしてもよい。
【００６３】
なお、本実施の形態においては、携帯電話機１における電子メールの返信用の文章を作成する際の入力補助の場面を例として説明したが、携帯電話機１の操作部５０から入力する場面であればよく、入力補助の方法はこれに限られない。例えば、新規メールを送信する場合であってもよい。この場合は、当該新規メールの宛先が参照されることにより、属性が判断されることになる。
【００６４】
なお、本実施の形態においては、本発明を適用した携帯電話機１を例として説明したが、本発明が適用できる携帯端末は携帯電話機１に限られない。例えば、撮像した写真に対してコメントを入力できるデジタルカメラや、ＰＤＡ（Personal Digital Assistant）等であってもよい。
【００６５】
その他、携帯電話機１を構成する各装置の細部構成及び細部動作に関しても、発明の趣旨を逸脱することのない範囲で適宜変更可能である。
【００６６】
〔実施形態２〕
以下、本発明の実施形態２について説明する。
実施形態１においては、携帯電話機１におけるアクション返信処理により、加速度センサ７０によって検知された携帯電話機１の変位パターンに応じて、電子メール作成の際の入力補助を行った。しかし、携帯電話機１の操作のみによって電子メールを作成することができる場合はよいが、Ｗｅｂメール等のようなサーバを仲介して電子メールを送信する必要がある場合の入力補助をすることはできない可能性がある。
そこで、実施形態２においては、Ｗｅｂメール等のようなサーバを仲介して電子メールを送信する場合に、加速度センサ７０によって検知された携帯電話機１の変位パターンに応じて、電子メール作成の際の文字入力補助を行う。
【００６７】
まず、実施形態２の構成を説明する。
図８に、実施形態２におけるネットワークシステムＳの構成例を示す。図８に示すように、本実施形態におけるネットワークシステムＳは、携帯電話機１とサーバ１００から構成され、それぞれがネットワークＮによって接続されている。図８に示す例では、携帯電話機１とサーバ１００はそれぞれ１つずつ記載しているが、携帯電話機１とサーバ１００はそれぞれ複数台あり、携帯電話機１は任意のサーバ１００と接続されることになる。
【００６８】
携帯電話機１の構成は、実施形態１と同様であるので説明を省略する。
【００６９】
ネットワークＮは、各地に設置された基地局等により構成され、携帯電話機１とサーバ１００間の情報の送受信を仲介する。
【００７０】
図８に示すように、サーバ１００は制御部１１０、記憶部１２０、ＲＡＭ１３０、表示部１４０、操作部１５０、通信部１６０等から構成される。
サーバ１００を構成する制御部１１０等の構成は、携帯電話機１を構成する制御部１０等の構成とほぼ同様であるので説明を省略し、以下異なる部分について説明する。
【００７１】
記憶部１２０は、Ｗｅｂメールの電子メールデータ等の各種データを記憶する。また、記憶部１２０はユーザＤＢ部１２１を備える点で記憶部２０と構成が異なる。
ユーザＤＢ部１２１には、実施形態１における属性テーブルＴ１、コメントテーブルＴ２、及び後述する実施形態２におけるアクション返信処理（実施形態１と区別するためにアクション返信処理Ｂという）において使用されるパラメータ等の各種データが記憶されている。
なお、実施形態２における属性テーブルＴ１、コメントテーブルＴ２の構成は実施形態１と同様であるので説明を省略する。
【００７２】
次に、実施形態２における動作について説明する。
図９に、実施形態２におけるアクション返信処理Ｂを示す。
アクション返信処理Ｂは、携帯電話機１においてＷｅｂメール閲覧の指示が制御部１０に対して入力された際に行われる。
アクション返信処理Ｂでは、加速度センサ７０によって検出された携帯電話機１の変位パターンをサーバ１００に対して送信し、サーバ１００は当該受信した携帯電話機１の変位パターンに対応したコメントを携帯電話機１に対して送信する。携帯電話機１においては、当該受信したコメントが選択及び決定され、返信用の電子メールのコメントが入力されることになる。
【００７３】
図９に示すように、携帯電話機１の操作部５０からの入力により、Ｗｅｂメールにアクセスする旨の指示が、通信部９０を介してサーバ１００に対して送信される（ステップＳ２０１）。サーバ１００においては、当該指示が受信されるとＷｅｂメールのログインページを表示させるよう携帯電話機１に対して通信部１６０を介して指示が送信される（ステップＳ２０２）。
携帯電話機１においては、当該指示が受信されると、表示部４０に表示画面Ｇ１０が表示され、ユーザに一意に割り当てられたＩＤとパスワードが操作部５０より入力され、通信部９０を介してサーバ１００に対してＩＤとパスワードが送信される（ステップＳ２０３）。
【００７４】
図１２（ａ）に、ステップＳ２０３において表示部４０に表示される表示画面Ｇ１０の一例を示す。図１２（ａ）に示すように、表示画面Ｇ１０は機能ボタンＧ１０ａ〜Ｇ１０ｃ、ＩＤ入力欄Ｇ１０ｄ、パスワード入力欄Ｇ１０ｅ、ＯＫボタンＧ１０ｆ、戻るボタンＧ１０ｇ等から構成される。
機能ボタンＧ１０ａ〜Ｇ１０ｃは実施形態１における表示画面Ｇ１の機能ボタンＧ１ａ〜Ｇ１ｃと同様であるので説明を省略する。
なお、後述する表示画面Ｇ１１〜Ｇ１９における機能ボタンについても、実施形態１における表示画面Ｇ１の機能ボタンＧ１ａ〜Ｇ１ｃと同様であるので説明を省略する。
ＩＤ入力欄Ｇ１０ｄは、ステップＳ２０３において携帯電話機１の操作部５０から入力されたＩＤが表示される領域である。
パスワード入力欄Ｇ１０ｃは、ステップＳ２０３において携帯電話機１の操作部５０から入力されたパスワードが表示される領域である。
ＯＫボタンＧ１０ｆは、操作部５０から入力されたＩＤとパスワードをサーバ１００に対して送信するか否かを入力するためのボタンである。
戻るボタンＧ１０ｇは、表示部４０に表示画面Ｇ１０が表示される前に表示されていた画面に遷移するためのボタンである。
【００７５】
サーバ１００においては、ステップＳ２０３において送信されたＩＤとパスワードが受信され、当該受信されたＩＤとパスワードが、記憶部１２０のユーザＤＢ部１２１に記憶されたＩＤとパスワードと比較され、正当なユーザであるか否かが判断される（ステップＳ２０４）。
正当なユーザであると判断されない場合（ステップＳ２０４；ＮＯ）、処理は終了する。
【００７６】
正当なユーザであると判断された場合（ステップＳ２０４；ＹＥＳ）、記憶部１２０に記憶された当該ユーザのＷｅｂメールのデータが読み出され、携帯電話機１の表示部４０に表示させるよう指示が送信される（ステップＳ２０５）。
携帯電話機１においては、ステップＳ２０５においてサーバ１００より送信された指示が受信されると、受信メールの一覧として表示部４０に表示画面Ｇ１１が表示される（ステップＳ２０６）。
【００７７】
図１２（ｂ）に、ステップＳ２０６において表示部４０に表示される表示画面Ｇ１１の一例を示す。図１２（ｂ）に示すように、表示画面Ｇ１１は機能ボタンＧ１１ａ〜Ｇ１１ｃ、受信メール一覧表示エリアＧ１１ｄ等から構成される。
受信メール一覧表示エリアＧ１１ｄは実施形態１における表示画面Ｇ１の受信メール一覧表示エリアＧ１ｄと同様であるので説明を省略する。
図１２（ｂ）に示すように、表示画面Ｇ１１においては、ステップＳ２０５においてサーバ１００から携帯電話機１に対して送信された、ユーザのＷｅｂメールの受信一覧が、受信メール一覧表示エリアＧ１１ｄに表示されることになる。
【００７８】
次いで、操作部５０からの入力により、表示画面Ｇ１１の受信メール一覧表示エリアＧ１１ｄに表示された電子メールの開封処理が行われたか否かが判断される（ステップＳ２０７）。ステップＳ２０７における処理は、実施形態１のステップＳ１０１と同様であるので具体的な説明を省略する。
【００７９】
表示画面Ｇ１１の受信メール一覧表示エリアＧ１１ｄに表示された電子メールの開封処理が行われたと判断された場合（ステップＳ２０７；ＹＥＳ）、開封処理が行われた旨がサーバ１００に対して送信され、サーバ１００においては、当該開封処理が行われた電子メールが記憶部１２０から読み出され、当該電子メールを展開するよう、携帯電話機１に対して指示が送信される（ステップＳ２０８）。
携帯電話機１においては、表示部４０に表示画面Ｇ１２が表示され、操作部５０より開封処理が行われた電子メールに対して返信処理が入力されたか否かが判断される（ステップＳ２０９）。ステップＳ２０９における処理は、実施形態１のステップＳ１０２と同様であるので具体的な説明を省略する。
【００８０】
図１２（ｃ）に、ステップＳ２０９において表示部４０に表示される表示画面Ｇ１２を示す。図１２（ｃ）に示すように、表示画面Ｇ１２は、機能ボタンＧ１２ａ〜Ｇ１２ｃ、テキストエリアＧ１２ｄ等から構成される。
テキストエリアＧ１２ｄは実施形態１における表示画面Ｇ２のテキストエリアＧ２ｄと同様であるので説明を省略する。
【００８１】
開封処理が行われた電子メールに対して返信処理が入力されたと判断された場合（ステップＳ２０９；ＹＥＳ）、アクション返信モードがオンであるか否かが判断される（ステップＳ２１０）。
ステップＳ２０９における処理は、実施形態１のステップＳ１０３と同様であるので説明を省略する。
アクション返信モードがオンであると判断された場合（ステップＳ２１０；ＹＥＳ）、アクション返信モードがオンである旨がサーバ１００に対して送信され、サーバ１００においては、記憶部１２０のユーザＤＢ部１２１に記憶された、携帯電話機１のユーザに対応する属性テーブルＴ１が参照され、表示画面Ｇ１２に表示された電子メールの送信者の属性が判断され、当該属性に対応するコメントテーブルＴ２が読み出される（ステップＳ２１１）。ステップＳ２１１における処理は、実施形態１におけるステップＳ１０４〜ステップＳ１０７と同様であるので具体的な説明を省略する。
【００８２】
以降は図１０を参照して説明する。
携帯電話機１においては、表示部４０に表示画面Ｇ１３が表示され、操作部５０から返信内容を編集する旨の指示が入力されると、表示部４０に表示画面Ｇ１４が表示され、加速度センサ７０から携帯電話機１の変位パターンが検知されたか否かが判断される（ステップＳ２１２）。ステップＳ２１２における処理は、実施形態１におけるステップＳ１０８と同様であるので具体的な説明を省略する。
【００８３】
図１２（ｄ）に、ステップＳ２１２において表示部４０に表示される表示画面Ｇ１３の一例を示す。
図１２（ｄ）に示すように、表示画面Ｇ１３は機能ボタンＧ１３ａ〜Ｇ１３ｃ、返信ウィンドウＧ１３ｄ等から構成される。返信ウィンドウＧ１３ｄは、実施形態１の表示画面Ｇ３の返信ウィンドウＧ３ｄと同様であり、返信ウィンドウＧ１３ｄが操作部５０より選択されると表示画面Ｇ１４に画面遷移することになる。
【００８４】
図１２（ｅ）、ステップＳ２１２において表示部４０に表示される表示画面Ｇ１４の一例を示す。
図１２（ｅ）に示すように、表示画面Ｇ１４は機能ボタンＧ１４ａ〜Ｇ１４ｃ、テキストエリアＧ１４ｄ等から構成される。テキストエリアＧ１４ｄは、実施形態１の表示画面Ｇ４のテキストエリアＧ４ｄと同様であり、電子メールの返信用の文章を編集するための領域である。
【００８５】
加速度センサ７０から携帯電話機１の変位パターンが検知されたと判断されない場合（ステップＳ２１２；ＮＯ）、処理はステップＳ２２４に移行する。
【００８６】
加速度センサ７０から携帯電話機１の変位パターンが検知されたと判断された場合（ステップＳ２１２；ＹＥＳ）、加速度センサ７０によって検知された当該変位パターンが解析される（ステップＳ２１３）。ステップＳ２１３における処理は、実施形態１におけるステップＳ１０９と同様であるので具体的な説明を省略する。
【００８７】
次いで、ステップＳ２１３によって解析された携帯電話機１の変位パターンが表示部４０の表示画面Ｇ１５に表示され、当該変位パターンに対応する信号をサーバ１００に対して送信するか否かが判断される（ステップＳ２１４）。
【００８８】
図１２（ｆ）に、ステップＳ２１４において表示部４０に表示される表示画面Ｇ１５の一例を示す。
図１２（ｆ）に示すように、表示画面Ｇ１５は機能ボタンＧ１５ａ〜Ｇ１５ｃ、「はい」ボタンＧ１５ｄ、「いいえ」ボタンＧ１５ｅ等から構成される。
ステップＳ２１４においては、具体的には表示画面Ｇ１５の「はい」ボタンＧ１５ｄが操作部５０より選択されると、ステップＳ２１３によって検出された変位パターンに対応する信号をサーバ１００に対して送信すると判断される。
「いいえ」ボタンＧ１５ｅが操作部５０より選択されると、ステップＳ２１３によって検出された変位パターンに対応する信号をサーバ１００に対して送信すると判断されないことになる。
【００８９】
当該変位パターンに対応する信号をサーバ１００に対して送信すると判断されない場合（ステップＳ２１４；ＮＯ）、処理はステップＳ２１２に戻る。
当該変位パターンに対応する信号をサーバ１００に対して送信すると判断された場合（ステップＳ２１４；ＹＥＳ）、当該変位パターンに対応する信号が通信部９０を介してサーバ１００に対して送信され、サーバ１００においては通信部１６０を介して受信した当該変位パターンが、ステップＳ２１１で読み出されたコメントテーブルＴ２にあるか否かが判断される（ステップＳ２１５）。ステップＳ２１５における処理は、実施形態１におけるステップＳ１１０と同様であるので具体的な説明を省略する。
【００９０】
受信した当該変位パターンが、ステップＳ２１１で読み出されたコメントテーブルＴ２にあると判断された場合（ステップＳ２１５；ＹＥＳ）、サーバ１００においては、当該コメントテーブルＴ２に格納されているコメントの一覧を表示するよう通信部１６０を介して携帯電話機１に対して指示が送信される（ステップＳ２１６）。
受信した当該変位パターンが、ステップＳ２１１で読み出されたコメントテーブルＴ２にあると判断されない（ステップＳ２１５；ＮＯ）、サーバ１００においては、エラーの表示をするよう通信部１６０を介して携帯電話機１に対して指示が送信される（ステップＳ２１７）。
【００９１】
携帯電話機１においては、エラー表示をする旨を通信部９０を介して受信したか否かが判断される（ステップＳ２１８）。エラー表示をする旨を通信部９０を介して受信したと判断された場合（ステップＳ２１８；ＹＥＳ）、表示部４０にエラーが表示され、処理はステップＳ２１２に戻る。
エラー表示をする旨を通信部９０を介して受信したと判断されない場合（ステップＳ２１８；ＮＯ）、表示部４０に表示画面Ｇ１６が表示され、ステップＳ２１６においてサーバ１００が携帯電話機１に対して送信したコメントの一覧が表示される（ステップＳ２１９）。
【００９２】
図１２（ｇ）に、ステップＳ２１９において表示部４０に表示される表示画面Ｇ１６の一例を示す。図１２（ｇ）に示すように、表示画面Ｇ１６は機能ボタンＧ１６ａ〜Ｇ１６ｃ、コメント一覧Ｇ１６ｄ等から構成される。表示画面Ｇ１６は、実施形態１における表示画面Ｇ５と同様であるので説明を省略する。
【００９３】
図１０に示すステップＳ２２０から図１１に示すステップＳ２２５までの処理は、それぞれ実施形態１におけるステップＳ１１３からステップＳ１１８と同様であるので説明を省略する。
【００９４】
図１２（ｈ）にステップＳ２２３において表示部４０に表示される表示画面Ｇ１７の一例を示す。表示画面Ｇ１７は実施形態１における表示画面Ｇ６と同様であるので、説明を省略する。図１２（ｈ）に示すように、表示画面Ｇ１７においては、ステップＳ２２２において選択されたコメントがテキストエリアＧ１７ｄに記載されることになる。
【００９５】
次いで、電子メールの送信指示が操作部５０より入力されたか否かが判断される（ステップＳ２２６）。電子メールの送信指示が操作部５０より入力されたと判断されない場合（ステップＳ２２６；ＮＯ）、処理はステップＳ２１２に戻る。
【００９６】
図１３（ａ）に、ステップＳ２２６における判断により、処理がステップＳ２１２に戻り、加速度センサ７０によって別の変位パターンが検出された場合に、ステップＳ２１９において表示部４０に表示される表示画面Ｇ１８の一例を示す。表示画面Ｇ１８は、実施形態１における表示画面Ｇ７と同様であるので説明を省略する。
表示画面Ｇ１８は、ステップＳ２１２において加速度センサ７０によって「丸く円を描く」動作が検知された場合を示す。
【００９７】
図１３（ｂ）に、ステップＳ２２６における判断により、処理がステップＳ２１２に戻り、加速度センサ７０によって別の変位パターンが検出された場合に、ステップＳ２２３において表示部４０に表示される表示画面Ｇ１９の一例を示す。表示画面Ｇ１９は、実施形態１における表示画面Ｇ８と同様であるので説明を省略する。
表示画面Ｇ１９は、表示画面Ｇ１８のコメント一覧Ｇ１８ｄにおいて表示されたコメントが選択及び決定され、テキストエリアＧ１９ｄに表示されることになる。
【００９８】
電子メールの送信指示が操作部５０より入力されたと判断された場合（ステップＳ２２６；ＹＥＳ）、当該電子メールを通信部９０を介して送信するよう指示が行われ、テキストエリアＧ１９ｄに表示された電子メールの返信用の文章と共に、メール送信の指示が通信部９０を介してサーバ１００に対して送信される（ステップＳ２２７）。
【００９９】
サーバ１００においては、通信部１６０を介して携帯電話機１より受信された電子メールの返信用の文章を確定させ（ステップＳ２２８）、通信部１６０を介して電子メールが返信先のメールアドレスに対して送信され（ステップＳ２２９）、処理は終了する。
【０１００】
一方、電子メールの開封処理が行われたと判断されない場合（ステップＳ２０７；ＮＯ）、操作部５０より開封処理が行われた電子メールに対して返信処理が入力されたと判断されない場合（ステップＳ２０９；ＮＯ）、アクション返信モードがオンであると判断されない場合（ステップＳ２１０；ＮＯ）、処理は終了する。
【０１０１】
以上のように、実施形態２におけるネットワークシステムＳによれば、サーバ１００において属性テーブルＴ１とコメントテーブルＴ２を管理し、携帯電話機１とサーバ１００によってアクション返信処理Ｂを実行することができる。したがって、携帯電話機１の機種に依存せず、携帯電話機１を機種変更した際に、属性テーブルＴ１とコメントテーブルＴ２の設定処理等を行わなくても、アクション返信処理Ｂを実行することができる。また、サーバ１００において属性テーブルＴ１とコメントテーブルＴ２を管理しているので、携帯電話機１の故障等によって属性テーブルＴ１、コメントテーブルＴ２の内容が失われてしまう恐れも回避することができる。
【０１０２】
なお、実施形態２においては、サーバ１００を介して送信するＷｅｂメールを例に挙げて説明したが、本発明の適用例はこれに限られない。例えば、インターネットにおけるブログの更新や掲示板への書き込みを行う際に、アクション返信処理Ｂと同様に、携帯電話機１の変位パターンに対応する文字入力の補助が行われるようにしてもよい。
【０１０３】
その他、ネットワークシステムＳを構成する各装置の細部構成及び細部動作に関しても、発明の趣旨を逸脱することのない範囲で適宜変更可能である。
【図面の簡単な説明】
【０１０４】
【図１】本発明の実施形態１における携帯電話機の構成例を示すブロック図である。
【図２】図１の携帯電話機により実行されるアクション返信処理を示すフローチャートである。
【図３】図１の携帯電話機により実行されるアクション返信処理を示すフローチャートである。
【図４】実施形態１におけるアクション返信処理が実行された際に、図１の携帯電話機に表示される画面の例である。
【図５】実施形態１におけるアクション返信処理が実行された際に、図１の携帯電話機に表示される画面の例である。
【図６】図１の携帯電話機に記憶される属性テーブルのデータ格納例を示す図である。
【図７】図１の携帯電話機に記憶されるコメントテーブルのデータ格納例を示す図である。
【図８】本発明の実施形態２におけるネットワークシステムの構成例を示すブロック図である。
【図９】図８のネットワークシステムにより実行されるアクション返信処理Ｂを示すフローチャートである。
【図１０】図８のネットワークシステムにより実行されるアクション返信処理Ｂを示すフローチャートである。
【図１１】図８のネットワークシステムにより実行されるアクション返信処理Ｂを示すフローチャートである。
【図１２】実施形態２におけるアクション返信処理Ｂが実行された際に、図１の携帯電話機に表示される画面の例である。
【図１３】実施形態２におけるアクション返信処理Ｂが実行された際に、図１の携帯電話機に表示される画面の例である。
【符号の説明】
【０１０５】
１  携帯電話機
１０  制御部
２０  記憶部
３０  ＲＡＭ
４０  表示部
５０  操作部
６０  撮像部
７０  加速度センサ
８０  Ａ／Ｄ変換部
９０  通信部
１００  サーバ
１１０  制御部
１２０  記憶部
１２１  ユーザＤＢ部
１３０  ＲＡＭ
１４０  表示部
１５０  操作部
１６０  通信部
Ｔ１  属性テーブル
Ｔ２  コメントテーブル
Ｓ  ネットワークシステム
Ｎ  ネットワーク
【図１】
2009271613.tif 000003
【図２】
2009271613.tif 000004
【図３】
2009271613.tif 000005
【図４】
2009271613.tif 000006
【図５】
2009271613.tif 000007
【図６】
2009271613.tif 000008
【図７】
2009271613.tif 000009
【図８】
2009271613.tif 000010
【図９】
2009271613.tif 000011
【図１０】
2009271613.tif 000012
【図１１】
2009271613.tif 000013
【図１２】
2009271613.tif 000014
【図１３】
2009271613.tif 000015